(57)【特許請求の範囲】
【請求項１】
オンライン取引の検証のための方法であって、
フラッシュセール商品のステータスを取得するステップと、
購入可能である前記フラッシュセール商品について、該フラッシュセール商品に関連した検証コードを取得するステップと、
前記検証コードを出力するステップと、
フラッシュセール用の入力音声パスワードを記録するステップと、
フラッシュセール用の前記音声パスワードを、音声認識のためにサーバにアップロードして、予め決定された検証コードに一致する前記アップロードされたフラッシュセール用の前記音声パスワードに応答して注文データを前記サーバに処理させ、前記注文データの処理に関する結果を返すステップと、
前記結果を受信するステップと、
前記結果を出力するステップとを含む方法。
【請求項２】
ユーザ認証のために、前記サーバにユーザ認証情報をアップロードするステップをさらに含む、請求項１に記載の方法。
【請求項３】
前記検証コードの出力及びフラッシュセール用の前記入力音声パスワードの記録は、
前記検証コードとフラッシュセール用のボタンとを含む、フラッシュセール用の前記音声パスワードを入力するためのインターフェイスを表示することと、
フラッシュセール用の前記音声パスワードをフラッシュセール用の前記ボタンの押下に応じて記録することとを含む、請求項１に記載の方法。
【請求項４】
購入可能ではない前記フラッシュセール商品について、該フラッシュセール商品がいつ購入可能になるのかをカウントダウンタイマーを用いて表示するステップをさらに含む、請求項１に記載の方法。
【請求項５】
前記フラッシュセール商品を配送するための配送先住所を設定するステップをさらに含む、請求項１に記載の方法。
【請求項６】
オンライン取引の検証のための方法であって、
フラッシュセール商品に関連した検証コードを予め決定するステップと、
前記フラッシュセール商品のステータスを、少なくともクライアントからの第１の要求に関連した情報に基づいて返すステップと、
購入可能である前記フラッシュセール商品について、前記検証コードを返すステップと、
前記クライアントからアップロードされるフラッシュセール用の音声パスワードを受信するステップと、
音声認識をおこなうステップと、
前記検証コードに一致するフラッシュセール用の前記音声パスワードに応答して、注文データを処理するステップと、
前記注文データの処理に関する結果を前記クライアントに返すステップとを含む方法。
【請求項７】
前記クライアントからアップロードされたユーザ認証情報を受信するステップと、
少なくとも前記ユーザ認証情報に関連した情報に基づいてユーザ認証をおこなうステップとをさらに含む、請求項６に記載の方法。
【請求項８】
前記クライアントからの第２の要求に応答して、前記フラッシュセール商品が購入可能になる時間を返すステップをさらに含む、請求項６に記載の方法。
【請求項９】
前記クライアントからアップロードされた配送先住所を受信するステップと、
少なくとも前記配送先住所に関連した情報に基づいて前記注文データを処理するステップをさらに含む、請求項６に記載の方法。
【請求項１０】
オンライン取引の検証のための方法であって、
クライアントが、フラッシュセール商品のステータスをサーバから取得するステップと、
前記クライアントが、購入可能である前記フラッシュセール商品について、該フラッシュセール商品に関連した検証コードを前記サーバから取得するステップと、
前記クライアントが、前記検証コードを出力するステップと、
前記クライアントが、フラッシュセール用の入力音声パスワードを記録するステップと、
前記クライアントが、音声認識のため、フラッシュセール用の前記音声パスワードを前記サーバにアップロードするステップと、
前記サーバが、該サーバ上の予め決定された検証コードに一致するアップロードされたフラッシュセール用の前記音声パスワードに応答して、注文データを処理するステップと、
前記サーバが、前記注文データの処理に関する結果を前記クライアントに返すステップと、
前記クライアントが、前記結果を受信するステップと、
前記クライアントが、前記結果を出力するステップとを含む方法。
【請求項１１】
オンライン取引の検証のためのデバイスであって、
フラッシュセール商品のステータスを取得するように構成されたステータス取得ユニットと、
購入可能である前記フラッシュセール商品について、該フラッシュセール商品に関連した検証コードを取得するように構成された検証コード取得ユニットと、
前記検証コードを出力するように構成された出力ユニットと、
フラッシュセール用の入力音声パスワードを記録するように構成された記録ユニットと、
フラッシュセール用の前記音声パスワードを、音声認識のため、サーバにアップロードするように構成されたアップロードユニットとを備え、
前記サーバは、予め決定された検証コードに一致する前記アップロードされたフラッシュセール用の前記音声パスワードに応答して、注文データを処理し、前記注文データの処理に関する前記結果を返し、
前記デバイスは、前記結果を受信し出力するように構成された結果出力ユニットをさらに備えている、デバイス。
【請求項１２】
オンライン取引の検証のためのデバイスであって、
フラッシュセール商品に関連した検証コードを予め決定するように構成された検証コード決定ユニットと、
前記フラッシュセール商品のステータスを、少なくともクライアントからの第１の要求に関連した情報に基づいて返すように構成された第１リターンユニットと、
購入可能である前記フラッシュセール商品について、前記検証コードを返すように構成された第２リターンユニットと、
購入可能である前記フラッシュセール商品について、前記クライアントによってアップロードされたフラッシュセール用の音声パスワードを受信するように構成された音声パスワード受信ユニットと、
音声認識をおこなうように構成された音声認識ユニットと、
前記検証コードに一致するフラッシュセール用の前記音声パスワードに応答して、注文データを処理するように構成された注文データ処理ユニットと、
前記注文データの処理に関する結果を前記クライアントに返すように構成された第３リターンユニットとを含む、デバイス。
【請求項１３】
オンライン取引の検証のためのシステムであって、
クライアントと検証サーバとを含み、
前記クライアントは、
フラッシュセール商品のステータスを前記検証サーバから取得し、
購入可能である前記フラッシュセール商品について、該フラッシュセール商品に関連した検証コードを前記サーバから取得し、
前記検証コードを出力し、
フラッシュセール用の入力音声パスワードを記録し、
フラッシュセール用の前記音声パスワードを、音声認識のため、前記サーバにアップロードし、
注文データを処理する前記サーバに関する結果を受信し、
前記結果を出力するように構成され、
前記サーバは、
該サーバ上の予め決定された検証コードと一致するアップロードされたフラッシュセール用の前記音声パスワードに応答して前記注文データを処理し、
前記注文データの処理に関する前記結果を前記クライアントに返すように構成された、システム。
【請求項１４】
オンライン取引の検証のためのプログラム命令を含む、非一時的でコンピュータ読み取り可能である記憶媒体であって、
前記プログラム命令は、
フラッシュセール商品のステータスを取得し、
購入可能である前記フラッシュセール商品について、該フラッシュセール商品に関連した検証コードを取得し、
前記検証コードを出力し、
フラッシュセール用の入力音声パスワードを記録し、
フラッシュセール用の前記音声パスワードを、音声認識のために、サーバにアップロードし、
前記サーバは、予め決定された検証コードに一致するアップロードされたフラッシュセール用の前記音声パスワードに応答して注文データを処理し、前記注文データの処理に関する結果を返し、
前記結果を受信し、
前記結果を出力することを含む処理を、１つ以上のデータプロセッサに実行させるように構成された、記憶媒体。
【請求項１５】
オンライン取引の検証のためのプログラム命令を含む、非一時的でコンピュータ読み取り可能である記憶媒体であって、
前記プログラム命令は、
フラッシュセール商品に関連した検証コードを予め決定し、
前記フラッシュセール商品のステータスを、少なくともクライアントからの第１の要求に関連した情報に基づいて返し、
購入可能である前記フラッシュセール商品について、前記検証コードを返し、
前記クライアントからアップロードされたフラッシュセール用の音声パスワードを受信し、
音声認識をおこない、
前記検証コードに一致するフラッシュセール用の前記音声パスワードに応答して、注文データを処理し、
前記注文データ処理に関する結果を前記クライアントに返すことを含む処理を、１つ以上のデータプロセッサに実行させるように構成された、記憶媒体。
【発明の詳細な説明】
【技術分野】
【０００１】
［関連出願の相互参照］
本願は、２０１２年９月２７日に出願された中国特許出願第２０１２１０３６４９５４．１号に基づく優先権を主張し、その全体が参照文献として本願明細書に組み込まれる。
【０００２】
［技術分野］
本開示はコンピュータ技術、より詳細には、コンピュータネットワークのシステム及び方法に関する。また本開示は、単に例として、ネットワークアクティビティに適用されるが、本開示がさらに広い適用範囲を備えることが理解される。
【背景技術】
【０００３】
様々な電子商取引プラットフォーム間の競争が増大するにつれ、売り上げを促進するためにフラッシュセールが頻繁に用いられるようになっている。電子商取引プラットフォームでは、既存の顧客を確保し、新規顧客を惹きつけるために、厳選された特定のフラッシュセール用の商品が市場価格以下でしばしば提示される。
【０００４】
数多くの主流の電子商取引プラットフォームは、パーソナルコンピュータ（ＰＣ）ユーザのために、通常多数のフラッシュセールアクティビティを有する。しかしながら、タブレット又は携帯電話向けアプリケーションプログラム（つまり、アプリ）用のフラッシュセール機能は、少数の電子商取引プラットフォームのみにおいて提供されている。フラッシュセールにおける商品の注文処理は通常の商品の注文処理と同様である。唯一の大きな違いは、フラッシュセール商品がショッピングカートの手続きでしばしば処理されないことである。
【０００５】
携帯電話アプリ用のフラッシュセール機能によってユーザの支持は増大し得るが、携帯電話ユーザ用のフラッシュセールの商品は特別な値引きをされないことがある。また、検証のない直接的な購入によって、ユーザエクスペリエンスにマイナスに大きく影響することはないであろうが、特別な値引きをされた商品が携帯電話ユーザに提供される場合にはしばしば検証が必要とされる。パーソナルコンピュータにおいて検証コードを入力することは簡単だが、携帯電話において検証コードを入力することは一般には煩わしいことであるので、ユーザは処理中に不満を感じがちである。
【０００６】
現在、多くのフラッシュセールイベントにおいて、フラッシュセール詐欺を防ぐため、テキスト又は画像検証コードが用いられる。具体的に、検証ステップが注文処理にしばしば追加される。しかし、注文処理に検証ステップを挿入することで、注文処理の中断が起こり、ユーザエクスペリエンスにマイナスの影響を与え得る。さらに、携帯電話を使用して検証コードを手で入力することはしばしば煩わしいことであり、また、入力エラーが頻繁に起こる。このように、携帯電話での取引のために検証コードを要求することによって、しばしばユーザの不満がおこり、フラッシュセール処理におけるユーザエクスペリエンスにマイナスの影響を与え得る。
【０００７】
電子商取引プラットフォームの一部では、フラッシュセール商品を検証なく直接的に購入するために、フラッシュセールの検証ステップが省略される。フラッシュセール商品の在庫が多くある時には、ユーザエクスペリエンスにマイナスの影響はないであろうが、フラッシュセール商品が希少である場合には、すべてのフラッシュセール商品が少数の顧客のみによって短期間に購入されてしまい、その他の顧客はフラッシュセールの恩恵を受けられない。
【０００８】
それゆえに、オンライン取引の検証のための技術の改善が強く望まれる。
【発明の概要】
【０００９】
一実施形態において、オンライン取引の検証のための方法が提供される。例えば、フラッシュセール商品のステータスが取得され、購入可能であるフラッシュセール商品についてフラッシュセール商品に関連した検証コードが取得され、検証コードが出力され、フラッシュセール用の音声パスワード入力が記録され、フラッシュセール用の音声パスワードが音声認識のためにサーバにアップロードされ、予め決定された検証コードと一致するアップロードされたフラッシュセール用の音声パスワードに応答して、注文データがサーバによって処理され、注文データの処理に関連した結果が返され、結果が受信されて出力される。
【００１０】
別の実施形態において、オンライン取引の検証のための方法が提供される。例えば、フラッシュセール商品に関連した検証コードが予め決定され、少なくともクライアントからの第１の要求に関連した情報に基づいてフラッシュセール商品のステータスが返され、購入可能であるフラッシュセール商品について検証コードが返され、クライアントによりアップロードされたフラッシュセール用の音声パスワードが受信され、音声認識がおこなわれ、検証コードと一致したフラッシュセール用の音声パスワードに応答して注文データが処理され、注文データの処理に関する結果がクライアントに返される。
【００１１】
さらに別の実施形態において、オンライン取引の検証のための方法が提供される。例えば、クライアントは、サーバからフラッシュセール商品のステータスを取得し、購入可能であるフラッシュセール商品についてサーバからフラッシュセール商品に関連した検証コードを取得し、検証コードを出力し、フラッシュセール用の入力音声パスワードを記録し、音声認識のためにフラッシュセール用の音声パスワードをサーバにアップロードし、サーバは、サーバ上の予め決定された検証コードに一致するアップロードされたフラッシュセール用の音声パスワードに応答して注文データを処理し、注文データの処理に関する結果をクライアントに返し、そして、クライアントは結果を受信し出力する。
【００１２】
さらに別の実施形態によると、オンライン取引の検証のためのデバイスは、ステータス取得ユニット、検証コード取得ユニット、出力ユニット、記録ユニット、アップロードユニット、及び結果出力ユニットを含む。ステータス取得ユニットはフラッシュセール商品のステータスを取得するように構成される。検証コード取得ユニットは、購入可能であるフラッシュセール商品についてフラッシュセール商品に関連した検証コードを取得するように構成される。出力ユニットは検証コードを出力するように構成され、記録ユニットはフラッシュセール用の入力音声パスワードを記録するように構成される。アップロードユニットは、音声認識のためにフラッシュセール用の音声パスワードをサーバにアップロードするように構成され、注文データは、予め決定された検証コードに一致するアップロードされたフラッシュセール用の音声パスワードに応答してサーバによって処理され、注文データの処理に関する結果が返される。結果出力ユニットは結果を受信し、出力するように構成される。
【００１３】
一実施形態において、オンライン取引の検証のためのデバイスは、検証コード決定ユニット、第１リターンユニット、第２リターンユニット、音声パスワード受信ユニット、音声認識ユニット、注文データ処理ユニット、及び第３リターンユニットを含む。検証コード決定ユニットはフラッシュセール商品に関連した検証コードを予め決定するように構成される。第１リターンユニットは、少なくともクライアントからの第１の要求に関連した情報に基づいてフラッシュセール商品のステータスを返すように構成される。第２リターンユニットは、購入可能であるフラッシュセール商品について、検証コードを返すように構成される。音声パスワード受信ユニットは、購入可能であるフラッシュセール商品について、クライアントからアップロードされたフラッシュセール用の音声パスワードを受信するように構成される。音声認識ユニットは音声認識をおこなうように構成され、注文データ処理ユニットは、検証コードに一致するフラッシュセール用の音声パスワードに応答して、注文データを処理するように構成され、第３リターンユニットは注文データの処理に関する結果をクライアントに返すように構成される。
【００１４】
別の実施形態において、オンライン取引の検証のためのシステムはクライアントと検証サーバとを含む。クライアントは、フラッシュセール商品のステータスをサーバから取得し、購入可能であるフラッシュセール商品について、フラッシュセール商品に関連した検証コードをサーバから取得し、検証コードを出力するように構成される。さらに、クライアントは、フラッシュセール用の入力音声パスワードを記録し、音声認識のためにフラッシュセール用の音声パスワードをサーバにアップロードし、注文データを処理するサーバに関する結果を受信し、結果を出力するように構成される。サーバは、サーバ上の予め決定された検証コードに一致するアップロードされたフラッシュセール用の音声パスワードに応答して注文データを処理し、注文データの処理に関する結果をクライアントに返すように構成される。
【００１５】
さらに別の実施形態において、非一時的な、コンピュータ読み取り可能な記憶媒体は、オンライン取引の検証のためのプログラム命令を含む。プログラム命令は１つ以上のデータプロセッサに所定の処理をさせるように構成される。例えば、フラッシュセール商品のステータスが取得され、フラッシュセール商品に関連した検証コードが、購入可能であるフラッシュセール商品について取得され、検証コードが出力され、フラッシュセール用の入力音声パスワードが記録され、フラッシュセール用の音声パスワードが音声認識のためにサーバにアップロードされ、注文データが、予め決定された検証コードに一致するアップロードされたフラッシュセール用の音声パスワードに応答して、サーバによって処理され、注文データの処理に関する結果が返され、結果が受信され出力される。
【００１６】
さらに別の実施形態において、非一時的な、コンピュータ読み取り可能な記憶媒体は、オンライン取引の検証のためのプログラム命令を含む。プログラム命令は１つ以上のデータプロセッサに所定の処理をさせるように構成される。例えば、フラッシュセール商品に関連した検証コードが予め決定され、少なくともクライアントからの第１の要求に関連した情報に基づいて、フラッシュセール商品のステータスが返され、検証コードが購入可能であるフラッシュセール商品に応じて返され、クライアントによってアップロードされたフラッシュセール用の音声パスワードが受信され、音声認識がおこなわれ、検証コードに一致するフラッシュセール用の音声パスワードに答えて、注文データが処理され、注文データの処理に関する結果がクライアントに返される。
【００１７】
また、例えば、本明細書に記載される該システムと方法とは、ユーザの音声入力を用いる検証プロセスを介してフラッシュセール取引をおこなうようにユーザを補助し、ユーザが配送先住所を設定している場合に注文データを直接的に処理するように構成されるので、フラッシュセール取引全体を円滑かつ容易におこなうことができる。
【００１８】
実施形態により１つ以上の有用性がもたらされる。これらの有用性並びに本開示のさらなる種々の目的、特性、及び有利性は、以下の詳細な説明及び添付の図面を参照することで十分に理解できる。
【図面の簡単な説明】
【００１９】
【図１】図１は、本開示の一実施形態におけるオンライン取引の検証のための方法を示す、簡略化されたダイアグラムである。
【図２ａ】図２（ａ）は、本開示の特定の実施形態におけるオンライン取引の検証のための方法を示す、簡略化されたダイアグラムである。
【図２ｂ】図２（ｂ）は、本開示の特定の実施形態におけるオンライン取引の検証のための方法を示す、簡略化されたダイアグラムである。
【図３】図３は、本開示の一実施形態におけるフラッシュセール用音声パスワードを入力するためのインターフェイスを示す簡略化された図である。
【図４】図４は、本開示の別の実施形態におけるオンライン取引の検証のための方法を示す、簡略化されたダイアグラムである。
【図５】図５は、本開示の一実施形態におけるオンライン取引の検証のためのデバイスを示す、簡略化されたダイアグラムである。
【図６】図６は、本開示の別の実施形態におけるオンライン取引の検証のためのデバイスを示す、簡略化されたダイアグラムである。
【発明を実施するための形態】
【００２０】
図１は、本開示の一実施形態におけるオンライン取引の検証のための方法を示す簡略化されたダイアグラムである。該ダイアグラムは、本特許請求の範囲を過度に限定しない実施例であるのみである。また当業者によって、種々の変化、代替、及び改変形が認識されるであろう。方法１００は、フラッシュセール商品のステータスを取得するための処理Ｓ１０１、購入可能であるフラッシュセール商品についてフラッシュセール商品に関連した検証コードを取得するための処理Ｓ１０２、そして、検証コードを出力し、フラッシュセール用の入力音声パスワードを記録するための処理Ｓ１０３を少なくとも含む。さらに、該方法１００は、音声認識のため、フラッシュセール用の音声パスワードをサーバにアップロードするための処理Ｓ１０４と、注文データ処理に関する結果を受信し出力するための処理Ｓ１０５とを含む。例えば、方法１００の１つ以上の処理は、スマートフォン、タブレット、ノート型コンピュータ、又はデスクトップ型コンピュータを含み得るクライアントによっておこなわれる。
【００２１】
一実施形態によると、処理Ｓ１０１において、クライアントは、フラッシュセール商品のステータスについて問い合わせるための要求をサーバに送信する。例えば、サーバはクライアントの要求に応答し、フラッシュセール商品のステータスを返し、クライアントはフラッシュセール商品のステータスを取得する。例として、処理Ｓ１０２において、サーバは各フラッシュセール商品用の検証コードをあらかじめ決定する。別の実施形態では、フラッシュセール商品が購入可能なステータスである場合に、クライアントはフラッシュセール商品に対応する検証コードをサーバから取得する。例えば、処理Ｓ１０３において、フラッシュセール商品に関連した検証コードを取得後に、クライアントはユーザインターフェイスを介して検証コードを出力する。別の実施例では、ユーザは、検証コードに基づいたフラッシュセール用の音声パスワードを、例えば、大きな声で言うことによって、提供する。例として、クライアントはフラッシュセール用の入力音声パスワードを記録する。
【００２２】
別の実施形態によると、処理Ｓ１０４において、フラッシュセール用の音声パスワードが音声認識のためにサーバにアップロードされる。例えば、アップロードされたフラッシュセール用の音声パスワードが、予め決定された検証コードと一致する場合、サーバは注文データを処理する。別の例では、注文データ処理の結果が返される。また例として、処理Ｓ１０５において、注文データ処理の結果がクライアントにより受信され出力される。別の例では、ユーザによるフラッシュセール商品の注文が正常に処理されたかどうかが表示される。さらに別の実施例によると、注文が正常に処理された場合に注文の詳細が表示され得る。
【００２３】
一実施形態では、処理Ｓ１０１の前に、ユーザ認証のためにユーザ認証情報をサーバにアップロードする処理がおこなわれる。詳細には、例えば、ユーザはフラッシュセール商品の購入前にクライアントにログインし、クライアントはユーザ認証のためにユーザ認証情報をサーバにアップロードする。
【００２４】
別の実施形態では、処理Ｓ１０１の前に、配送先住所をサーバにアップロードするための処理がおこなわれる。例えば、ユーザがログインする際、ユーザが配送先住所を設定していない場合にその配送先住所を設定するようにプロンプトがユーザに提供される。別の例では、クライアントはユーザの配送先住所をサーバにアップロードする。
【００２５】
さらに別の実施形態では、処理Ｓ１０３は、フラッシュセール用の音声パスワードを入力するためのインターフェイスを表示し、フラッシュセール用のボタンの押下に応答してフラッシュセール用の音声パスワードを記録することを含み、該インターフェイスはフラッシュセール用の検証コードとボタンとを含む。例えば、方法１００は、図２（ａ）と図２（ｂ）とに図示されるような方法１５０の１つ以上の処理を含んでもよい。
【００２６】
図２（ａ）と図２（ｂ）は、本開示の特定の実施形態によるオンライン取引の検証のための方法を示す簡略化されたダイアグラムである。これらのダイアグラムは実施例を示すのみであり、本特許請求の範囲を過度に限定しない。当業者によって多くの変化、代替、及び改変形が認められるであろう。
【００２７】
一実施形態によると、ある商品がフラッシュセールの対象にあるとき、クライアントはフラッシュセールの商品のステータスについてサーバに問い合わせをする。例えば、クライアントは、フラッシュセール商品のステータスについてサーバに要求を送信する。例として、サーバはクライアントの要求に応答してフラッシュセール商品のステータスを返す。そして、クライアントはフラッシュセール商品のステータスを取得する。
【００２８】
別の実施形態によると、フラッシュセール商品が売切れの場合に、フラッシュセール商品用のボタンは無効化され、該ボタンは押下されても機能しない。例えば、ユーザは、フラッシュセール商品用のボタンをクリックしたときに、フラッシュセール商品の詳細が記載されたウェブページを閲覧でき得る。
【００２９】
さらに別の実施形態によると、商品のフラッシュセールが開始されていない場合に、ユーザがフラッシュセール商品用のボタンをクリックすると、クライアントはユーザがログインしているかどうかを検出する。例えば、ユーザがログインしている場合、その後の処理がおこなわれる。別の例では、ユーザがログインしていない場合に、ユーザに所定のログイン操作を促すため、ログインインターフェイスが表示される。
【００３０】
一実施形態では、ユーザがログインしている場合、クライアントはユーザが配送先住所を設定しているかどうかを検出する。例えば、配送先住所が設定されている場合に、カウントダウンインターフェイスは、商品が購入可能になる時間を示すために表示される。別の実施例において、配送先住所が設定されていない場合に、カウントダウンインターフェイスは、商品が購入可能になる時間を示すために表示されてもよい。さらに別の実施例では、ユーザはその後の処理のために配送先住所の設定を促されてもよい。例として、ユーザは、サーバに予め保存された配送先住所をクライアントにおいて選択するか、又はクライアント上で新規の配送先住所を入力することができる。別の実施例として、ユーザが配送先住所を選択又は入力後に、クライアントは関連する情報をサーバにアップロードする。さらに別の実施例として、フラッシュセール商品用ボタンが解除されると、カウントダウンインターフェイスが閉じられてもよい。
【００３１】
別の実施形態では、商品のフラッシュセールが開始された場合に、ユーザがフラッシュセール商品用のボタンをクリックすると、クライアントはユーザがログインしているかどうかを検出する。例えば、ユーザがログインしていない場合に、ログインインターフェイスがユーザにログインを促すために表示され、ユーザ認証情報がユーザ認証のためにサーバにアップロードされる。他の実施例では、図３に示されるように、ユーザがログインしている場合、クライアントは、フラッシュセール商品に関連した検証コードを取得し、フラッシュセール用の音声パスワードを入力するためインターフェイス上に検証コードを出力する。
【００３２】
図３は、本開示の一実施形態による、フラッシュセール用の音声パスワードを入力するためのインターフェイスを示す簡略化されたダイアグラムである。該ダイアグラムは、本特許請求の範囲を過度に制限しない、単なる実施例である。当業者によって多くの変化、代替、及び改変形が認められるであろう。図３に示されるように、インターフェイス２００は検証コード２０５、フラッシュセール用のボタン２０２、配送先住所２０３、及び操作プロンプト２０４を含む。
【００３３】
一実施形態によると、検証コード２０５はインターフェイス２００の上部にあり、ユーザが、例えば大きな声で言うことで、提供されるフラッシュセール用パスワードを示す。例として、図３に示されるような「特別割引フラッシュセール」は、フラッシュセール商品用の検証コードに対応する。例として、このような検証コードはサーバによって予め決定される。別の実施例では、フラッシュセール用ボタン２０２はインターフェイスの下部中央にあり、フラッシュセール用のボタン２０２が押下されると、クライアントはフラッシュセール用入力音声パスワードを記録し始める。さらに別の実施例では、配送先住所２０３はフラッシュセール用ボタン２０２の真上に示される。一部の実施形態において、配送先住所２０３は、ユーザがそのような配送先住所を設定した際にインターフェイス２００に現れる。操作プロンプト２０４は、ユーザに対応する操作を促すために検証コード２０５の下部に配置されてもよい。例として、操作プロンプト２０４は、フラッシュセール用のパスワードを大きな声で言い、その後フラッシュセール用ボタン２０２を解除することをユーザに促す。
【００３４】
別の実施形態によると、ユーザがフラッシュセール用ボタン２０２を押下するとき、クライアントは、ユーザがフラッシュセール用ボタン２０２を所定の時間（例えば、０．５秒など）押下したかどうかを検出する。例えば、フラッシュセール用ボタン２０２が０．５秒未満で押下された場合、クライアントは、インターフェイス２００を介し、ボタンをより長く押下するようにユーザを促す。別の実施例では、ユーザがフラッシュセール用ボタン２０２を十分に長く（つまり、０．５秒より長く）押下したことをクライアントが検出した場合、クライアントはユーザによる音声パスワードを記録するために記録操作を開始する。
【００３５】
さらに別の実施形態によると、クライアントは記録工程中に記録内容を解析する。例として、記録工程中に、２秒を超えて有効な音声の入力が検出されなかった場合（例えば、ユーザが音声パスワードを大きな声で言わない、又はユーザの声が小さすぎるなど）に、音声の入力又はより大きな声を促すプロンプトがインターフェイス２００を介してユーザに提供される。
【００３６】
一実施形態においては、有効な音声入力が検出されたとき、文の末尾の検出が開始される。例として、音声入力が検出された後の一時停止は、ユーザが文を終えたことを示し得る。また例として、文の末尾の検出が正常におこなわれた場合に、関連する音声情報はサーバにアップロードされる。一方で、文の末尾の検出が正常におこなわれなかった場合に、フラッシュセール用ボタン２０２が所定のしきい値（例えば１０秒など）よりも長く押下されたかどうかが決定される。所定のしきい値を超える場合、ユーザはボタン２０２を解除するように促されるか、又は音声記録工程は自動的に終了する。例えば、フラッシュセール用ボタン２０２が解除されるか、又は音声記録工程が自動的に終了した後、音声情報は音声認識のためにサーバにアップロードされる。
【００３７】
別の実施形態では、サーバはクライアントから音声情報を受信し、フラッシュセール商品が売り切れたかどうかを決定する。例えば、フラッシュセール商品が売り切れた場合、サーバは売切れの商品に関する情報をクライアントに返す。クライアントは、フラッシュセール商品が売切れであることを示すため、例えばインターフェイスの表示などで、プロンプトを表示する。例として、プロンプトインターフェイスはユーザのクリックによって閉じられるか、又は所定の時間後に自動的に閉じられる（例えば、３秒など）。そして、現在のウェブページはプロンプトインターフェイスが閉じられた後に自動的に更新される。
【００３８】
さらに別の実施形態では、フラッシュセール商品がまだ売り切れていない場合に、サーバは音声認識をおこなう。例として、音声認識が正常におこなわれなかった場合（つまり、記録されたフラッシュセール用音声パスワードが予め決定された検証コードと一致しない場合）に、サーバは結果を返し、音声パスワードの誤りを示すため、インターフェイスがクライアントに対して表示される。一方で、音声認識が正常におこなわれた場合（つまり、記録されたパスワードが予め決定された検証コードと一致する場合）に、サーバはユーザの注文を受ける（つまり、注文データを処理する）。
【００３９】
詳細には、一部の実施形態において、サーバはユーザが配送先住所を設定したかどうかを決定する。例として、ユーザが配送先住所を設定した場合、サーバは少なくとも配送先住所に関連する情報に基づいて注文を発生させ、クライアントに注文処理結果を返す。別の実施例では、クライアントは結果を受信し、クライアントに出力する。そして、ユーザは、フラッシュセール取引全体を完了させるために支払い処理に進む。
【００４０】
特定の実施形態において、音声認識が正常におこなわれたが、ユーザが配送先住所を設定していない場合、サーバは配送先住所を設定するための要求をクライアントに返し、クライアントは配送先住所を設定するためのインターフェイスを表示する。例えば、ユーザが配送先住所の設定を終えると、クライアントは注文をサーバに提出する。別の実施例では、サーバはフラッシュセール商品が売切れたかどうかを決定する。商品が売り切れた場合、クライアントは商品の売切れを示すためインターフェイスを表示する。商品がまだ発売中である場合、サーバは、バックグラウンドで注文データを自動的に処理し、クライアントにおいてユーザに注文処理結果を返す。
【００４１】
図４は、本開示の別の実施形態によるオンライン取引の検証のための方法を示す簡略化されたダイアグラムである。このダイアグラムは、本特許請求の範囲を過度に制限しない、単なる実施例である。当業者は多くの変化、代替、及び改変形を認めるであろう。方法３００は、フラッシュセール商品に関連した検証コードを予め決定するための処理Ｓ３０１、少なくともクライアントからの第１の要求に関連した情報に基づいてフラッシュセール商品のステータスを返し、購入可能であるフラッシュセール商品について、検証コードを返すための処理Ｓ３０２、クライアントからアップロードされたフラッシュセール用音声パスワードを受信するための処理Ｓ３０３、音声認識をおこない、検証コードに一致するフラッシュセール用音声パスワードに応答して注文データを処理するための処理Ｓ３０４、注文データ処理に関する結果をクライアントに返す処理Ｓ３０５を少なくとも含む。例えば、方法３００の１つ以上の処理はサーバによりおこなわれる。
【００４２】
一実施形態によると、処理Ｓ３０１において、サーバはフラッシュセール商品に関連した検証コードを予め決定する。例として、処理Ｓ３０２において、クライアントはフラッシュセール商品のステータスについて問い合わせるための要求をサーバに送信し、サーバはクライアントの要求に応答し、フラッシュセール商品のステータスを返す。そして、クライアントはフラッシュセール商品のステータスを取得する。例として、商品が購入可能なステータスである場合に、サーバは検証コードをクライアントに返し、クライアントはフラッシュセール商品に関連した検証コードをサーバから取得する。
【００４３】
別の実施形態によると、処理Ｓ３０３において、フラッシュセール商品に関連した検証コードを取得後に、クライアントはインターフェイスを介して検証コードを出力し、ユーザは少なくとも検証コードに関連した情報に基づいたフラッシュセール用パスワードを大きな声で言う。例えば、クライアントは、ユーザが言ったフラッシュセール用音声パスワードを記録し、該音声パスワードをサーバにアップロードする。例として、サーバはクライアントからアップロードされた音声パスワードを受信する。
【００４４】
さらに別の実施形態によると、処理Ｓ３０４において、サーバはアップロードされたフラッシュセール用パスワードの音声認識をおこない、フラッシュセール用音声パスワードがサーバによって予め決定された検証コードと一致する場合に注文データを処理する。例えば、方法３００は、図２（ａ）及び図２（ｂ）に示されるような方法１５０の１つ以上の処理を含んでもよい。
【００４５】
図５は、本開示の一実施形態によるオンライン取引の検証のためのデバイスを示す簡略化したダイアグラムである。このダイアグラムは、本特許請求の範囲を過度に制限しない、単なる実施例である。当業者は多くの変化、代替、及び改変形を認めるであろう。デバイス４００は、ステータス取得ユニット４０１、検証コード取得ユニット４０２、出力ユニット４０３、記録ユニット４０４、アップロードユニット４０５、及び結果出力ユニット４０６を少なくとも含む。
【００４６】
一実施形態によると、ステータス取得ユニット４０１はフラッシュセール商品のステータスを取得するように構成され、検証コード取得ユニット４０２は、購入可能であるフラッシュセール商品について、フラッシュセール商品に関連した検証コードを取得するように構成され、出力ユニット４０３は、検証コードを出力するように構成される。例えば、記録ユニット４０４は、フラッシュセール用入力音声パスワードを記録するように構成され、アップロードユニット４０５は、音声認識のため、フラッシュセール用音声パスワードをサーバにアップロードするように構成され、注文データは、予め決定された検証コードに一致するアップロードされたフラッシュセール用音声パスワードに応答してサーバによって処理され、注文データの処理に関する結果が返される。別の実施例では、結果出力ユニット４０６は結果を受信し出力するように構成される。
【００４７】
別の実施形態によると、デバイス４００は、例えばステータス取得ユニット４０１がフラッシュセール商品のステータスを取得する前などに、ログイン操作をおこなうように構成されたログインユニット４０７をさらに含む。例えば、デバイス４００は、配送先住所を設定するように構成された配送先住所設定ユニット４０８をさらに含む。別の実施例では、配送先住所設定ユニット４０８は、ユーザによってサーバに予め保存された配送先住所を選択するか、又はユーザにより直接的に入力された配送先住所を取得する。デバイス４００は、特定の実施形態において、方法１００及び／又は方法１５０によるオンライン取引の検証をおこなう。
【００４８】
図６は、本開示の別の実施形態によるオンライン取引の検証のためのデバイスを示す簡略化されたダイアグラムである。このダイアグラムは、本特許請求の範囲を過度に制限しない、単なる実施例である。当業者は多くの変化、代替、及び改変形を認めるであろう。デバイス５００は、検証コード決定ユニット５０１、第１のリターンユニット５０２、第２のリターンユニット５０３、音声パスワード受信ユニット５０４、音声認識ユニット５０５、注文データ処理ユニット５０６、及び第３のリターンユニット５０７を少なくとも含む。
【００４９】
一実施形態によると、検証コード決定ユニット５０１は、フラッシュセール商品に関連した検証コードを予め決定するように構成され、第１のリターンユニット５０２は、少なくともクライアントからの第１の要求に関連した情報に基づいてフラッシュセール商品のステータスを返すように構成され、第２のリターンユニット５０３は、購入可能であるフラッシュセール商品について、検証コードを返すように構成される。例えば、音声パスワード受信ユニット５０４は、購入可能であるフラッシュセール商品について、クライアントからアップロードされたフラッシュセール用音声パスワードを受信するように構成され、音声認識ユニット５０５は音声認識をおこなうように構成され、注文データ処理ユニット５０６は、検証コードに一致するフラッシュセール用音声パスワード応じて、注文データを処理するように構成され、第３のリターンユニット５０７は、注文データの処理に関する結果をクライアントに返すように構成される。
【００５０】
別の実施形態によると、デバイス５００は、クライアントからアップロードされたユーザ認証情報を受信し、少なくともユーザ認証情報と関連した情報に基づいてユーザ認証をおこなうように構成されたユーザ認証ユニット５０８をさらに含む。例えば、デバイス５００は、クライアントからの第２の要求に応答して、フラッシュセール商品が購入可能になる時間を返すように構成された第４のリターンユニット５０９もまた含む。別の実施例では、該デバイスは、クライアントからアップロードされた配送先住所を受信し、少なくとも配送先住所と関連した情報に基づいて注文データを処理するように構成された配送先住所受信ユニット５１０をさらに含む。デバイス５００は、いくつかの実施形態において、方法３００によるオンライン取引の検証をおこなう。
【００５１】
特定の実施形態によると、オンライン取引の検証のためのシステムは、デバイス４００（例えばクライアントなど）とデバイス５００（例えばサーバなど）とを含み、方法１００、方法１５０及び／又は方法３００によるオンライン取引の検証をおこなう。
【００５２】
一実施形態では、オンライン取引の検証のための１つの方法が提供される。例えば、フラッシュセール商品のステータスが取得され、購入可能であるフラッシュセール商品についてフラッシュセール商品に関連した検証コードが取得され、検証コードが出力され、フラッシュセール用入力音声パスワードが記録され、フラッシュセール用音声パスワードが音声認識のためにサーバにアップロードされ、予め決定された検証コードに一致するアップロードされたフラッシュセール用音声パスワードに応答して注文データがサーバによって処理され、注文データの処理に関する結果が返され、そして結果が受信され出力される。例えば、該方法は少なくとも図１及び／又は図２（ａ）と図２（ｂ）によっておこなわれる。
【００５３】
別の実施形態では、オンライン取引の検証のための１つの方法が提供される。例えば、フラッシュセール商品に関連した検証コードが予め決定され、フラッシュセール商品のステータスが、少なくともクライアントからの第１の要求に関連した情報に基づいて返され、購入可能であるフラッシュセール商品について検証コードが返され、クライアントからアップロードされたフラッシュセール用音声パスワードが受信され、音声認識がおこなわれ、検証コードに一致するアップロードされたフラッシュセール用音声パスワードに応答して注文データが処理され、注文データの処理に関する結果がクライアントに返される。例として、該方法は少なくとも図４に従って適用される。
【００５４】
さらに別の実施形態では、オンライン取引の検証のための１つの方法が提供される。例えば、クライアントは、フラッシュセール商品のステータスをサーバから取得し、購入可能であるフラッシュセール商品について、フラッシュセール商品に関連した検証コードをサーバから取得し、検証コードを出力し、フラッシュセール用入力音声パスワードを記録し、音声認識のためにフラッシュセール用音声パスワードをサーバにアップロードし、サーバは、サーバ上の予め決定された検証コードに一致するアップロードされたフラッシュセール用音声パスワードに応答して注文データを処理し、注文データの処理に関する結果をクライアントに返し、そして、クライアントは結果を受信し出力する。例として、該方法は少なくとも図１、図２（ａ）と図２（ｂ）、及び／又は図４に従って適用される。
【００５５】
さらに別の実施形態では、オンライン取引の検証のためデバイスは、ステータス取得ユニット、検証コード取得ユニット、出力ユニット、記録ユニット、アップロードユニット、及び結果出力ユニットを含む。ステータス取得ユニットはフラッシュセール商品のステータスを取得するように構成される。検証コード取得ユニットは、購入可能であるフラッシュセール商品についてフラッシュセール商品に関連した検証コードを取得するように構成される。出力ユニットは検証コードを出力するように構成され、記録ユニットはフラッシュセール用の入力音声パスワードを記録するように構成される。アップロードユニットは音声認識のためにフラッシュセール用の音声パスワードをサーバにアップロードするように構成され、注文データは、予め決定された検証コードに一致するアップロードされたフラッシュセール用の音声パスワードに応答してサーバによって処理され、注文データ処理に関する結果が返される。結果出力ユニットは結果を受信し、出力するように構成される。例として、該デバイスは少なくとも図１、図２（ａ）と図２（ｂ）、及び／又は図５に従って適用される。
【００５６】
一実施形態において、オンライン取引の検証のためデバイスは、検証コード決定ユニット、第１リターンユニット、第２リターンユニット、音声パスワード受信ユニット、音声認識ユニット、注文データ処理ユニット、及び第３リターンユニットを含む。検証コード決定ユニットはフラッシュセール商品に関連した検証コードを予め決定するように構成される。第１リターンユニットは、少なくともクライアントからの第１の要求に関連した情報に基づいてフラッシュセール商品のステータスを返すように構成される。第２リターンユニットは、購入可能であるフラッシュセール商品について、検証コードを返すように構成される。音声パスワード受信ユニットは、購入可能であるフラッシュセール商品について、クライアントからアップロードされたフラッシュセール用の音声パスワードを受信するように構成される。音声認識ユニットは音声認識をおこなうように構成され、注文データ処理ユニットは、検証コードに一致するフラッシュセール用の音声パスワードに応答して注文データを処理するように構成され、第３リターンユニットは注文データ処理に関する結果をクライアントに返すように構成される。例として、該デバイスは少なくとも図４及び／又は図６に従って適用される。
【００５７】
別の実施形態では、オンライン取引の検証のためのシステムはクライアントと検証サーバとを含む。クライアントは、フラッシュセール商品のステータスをサーバから取得し、購入可能であるフラッシュセール商品について、フラッシュセール商品に関連した検証コードをサーバから取得し、検証コードを出力するように構成される。さらに、クライアントは、フラッシュセール用入力音声パスワードを記録し、音声認識のためにフラッシュセール用音声パスワードをサーバにアップロードし、注文データを処理するサーバに関する結果を受信し、結果を出力するように構成される。サーバは、サーバ上の予め決定された検証コードと一致するアップロードされたフラッシュセール用の音声パスワードに応答して注文データを処理し、注文データの処理に関連した結果がクライアントに返されるように構成される。例として、該システムは少なくとも図１、図２（ａ）と図２（ｂ）、図４、図５、及び／又は図６に従って適用される。
【００５８】
さらに別の実施形態では、非一時的で、コンピュータ読み取り可能である記憶媒体は、オンライン取引の検証のためのプログラム命令を含む。プログラム命令は１つ以上のデータプロセッサに所定の処理をさせるように構成される。例として、フラッシュセール商品のステータスが取得され、購入可能であるフラッシュセール商品について、フラッシュセール商品と関連した検証コードが取得され、検証コードが出力され、フラッシュセール用入力音声パスワードが記録され、音声認識のためにフラッシュセール用音声パスワードがサーバにアップロードされ、予め決定された検証コードと一致するアップロードされたフラッシュセール用の音声パスワードに応答して、注文データはサーバによって処理され、注文データの処理に関する結果が返され、そして、結果が受信され、出力される。例として、該記憶媒体は、少なくとも図１、及び／又は図２（ａ）と図２（ｂ）に従って適用される。
【００５９】
さらに別の実施形態では、非一時的で、コンピュータ読み取り可能である記憶媒体は、オンライン取引の検証のためのプログラム命令を含み、該プログラム命令は１つ以上のデータプロセッサに所定の処理をさせるように構成される。例えば、フラッシュセール商品に関連した検証コードが予め決定され、フラッシュセール商品のステータスが少なくともクライアントからの第１の要求に関連した情報に基づいて返され、購入可能であるフラッシュセール商品について検証コードが返され、クライアントからアップロードされたフラッシュセール用音声パスワードが受信され、音声認識がおこなわれ、検証コードに一致するフラッシュセール用音声パスワードに応答して、注文データが処理され、注文データ処理に関する結果がクライアントに返される。例として、該記憶媒体は少なくとも図４に従って適用される。
【００６０】
上記は、本発明によって提示される一部の概要を記載するのみであり、また該記載は比較的明確であり詳細であるものの、本発明の特許請求の範囲を限定するものとして理解されるべきではない。また、当業者によって、本発明の概念的事項から外れることなく、すべて本発明の範囲内である数多くの変化形、改変形がなされ得ることは特に言及される。結果として、本特許請求は保護の観点から優先される。
【００６１】
例として、本開示の種々の実施形態の一部又はすべての要素それぞれは、個別に及び／又は少なくとも他の要素との組合せで、１つ以上のソフトウェア要素、１つ以上のハードウェア要素及び／又は１つ以上のソフトウェア要素とハードウェア要素との組合せを用いて適用される。別の実施例では、本開示の種々の実施形態の一部又はすべての要素それぞれは、個別に及び／又は少なくとも他の要素との組合せで、１つ以上のアナログ回路及び／又は１つ以上のデジタル回路などの１つ以上の回路において適用される。さらに別の実施例では、本開示の種々の実施形態及び／又は実施例は、組み合わせることが可能である。
【００６２】
さらに、本明細書に記載される方法とシステムとは、サブシステムを処理するデバイスによって実行可能なプログラム命令を含むプログラムコードによって、数多くの様々なタイプの処理デバイス上で適用されてもよい。ソフトウェアプログラム命令は、ソースコード、オブジェクトコード、マシンコード、又は本明細書に記載の方法と操作とを処理システムにおこなわせることが可能である任意のその他の保存データを含んでもよい。しかしまた、本明細書に記載の方法とシステムとをなすように構成されたファームウェア又はさらに適切に設計されたハードウェアなどとして、その他の適用が用いられてもよい。
【００６３】
システム及び方法のデータ（例えば、関連づけ、マッピング、データ入力、データ出力、中間データ結果、最終データ結果など）は、様々なタイプの保存デバイス及びプログラミングコンストラクト（例えば、ＲＡＭ、ＲＯＭ，フラッシュメモリ、フラットファイル、データベース、プログラミングデータ構造、プログラミング変数、ＩＦ‐ＴＨＥＮ文（又は同様の）コンストラクトなど）などの、１つ以上の種々のコンピュータ実行データ格納部に保存され、適用されてもよい。また、データ構造には、コンピュータプログラムによって用いられるデータベース、プログラム、メモリ、又はコンピュータ読み取り可能媒体におけるデータの編成及び保存に使用されるフォーマットが記述されることが特に言及される。
【００６４】
本システムと方法とは、本明細書に記載される方法の実行をおこない、システムを適用するプロセッサによる実行に使用される命令（例えばソフトウェア）を含むコンピュータ格納機構（例えば、ＣＤ−ＲＯＭ、ディスケット、ＲＡＭ、フラッシュメモリ、コンピュータのハードドライブなど）を含む、数多くの様々なタイプのコンピュータ読み取り可能媒体において提供されてもよい。
【００６５】
本明細書に記載されるコンピュータ部品、ソフトウェアモジュール、ファンクション、データ格納部、及びデータ構造は、その実行に必要とされるデータフローを可能にするため、直接的又は非直接的に相互接続されてもよい。また、モジュール又はプロセッサは、ソフトウェア動作をおこなうコード単位を非限定的に含み、例えば、コードのサブルーチン単位、コードのソフトウェア機能単位、（オブジェクト指向パラダイムにおける）オブジェクト、アプレット、コンピュータスクリプト言語、又は別のタイプのコンピュータコードなどとして適用可能であることも特に言及される。ソフトウェアコンポーネント及び／又は機能は、周囲の状況次第で、単独のコンピュータに配置されるか、又は複数のコンピュータにわたって配置されてもよい。
【００６６】
コンピューティングシステムはクライアントとサーバとを含み得る。クライアントとサーバとは、通常互いにリモートであり、典型として通信ネートワークを介して相互に作用する。クライアントとサーバとの関係は、それぞれのコンピュータ上で走り、相互にクライアントとサーバとの関係を有するコンピュータプログラムにより起こる。
【００６７】
本明細書は多くの詳細を含むが、これらは特許請求とされる事項の範囲を限定するものではなく、むしろ特定の実施形態に特有の特徴を記載するものとされるべきである。本明細書において、別々の実施形態の文脈で記載された特定の特徴は、単独の実施形態において、組合せで適用されてもよい。また、単独の実施形態の文脈において記載された種々の特徴は、別々に複数の実施形態で又は任意の適切な副組合せで適用されてもよい。さらに、上記において、所定の組合せにおいて動作するとして特徴が記述され、当初はそのように記載されているものの、記載された組合せの１つ以上の特徴は一部の場合において組合せから分離され得り、そして記載された組合せは副組合せ又は副組合せの変化形へと転じ得る。
【００６８】
同様に、図面において、操作が特定の順序で示されているが、所望の結果を得るために、そのような操作が提示された特定の順序若しくは連続する順序でおこなわれること、又は、提示されたすべての操作がおこなわれること、を必要とすると解されるべきではない。特定の状況において、マルチタスク及び並列処理は有利である。さらに、上述された実施形態の種々のシステム構成要素の分離について、すべての実施形態においてそのような分離を必要とするとして解されるべきではなく、また、記載されたプログラムの構成要素及びシステムは、通常、単一のソフトウェアプロダクトに統合されるか、又は複数のソフトウェアプロダクトにパッケージ化されてもよい。
【００６９】
本開示の特定の実施形態が記載されてきたが、当業者は、記載された実施形態と同様の他の実施形態が存在するということを認めるであろう。従って、本発明は、提示された特定の実施形態によって限定されるべきではなく、添付の特許請求の範囲による、ということが解される。
【図１】
0005966090.tif 000002
【図２ａ】
0005966090.tif 000003
【図２ｂ】
0005966090.tif 000004
【図３】
0005966090.tif 000005
【図４】
0005966090.tif 000006
【図５】
0005966090.tif 000007
【図６】
0005966090.tif 000008